(57)【要約】【課題】屋外側からガラスを割ってクレセント錠が解錠できたとしても侵入し難いクレセント施錠機構の防犯プレート等を提供する。【解決手段】屋内と屋外との境界に設けられる枠体、見付け方向にスライド自在であり、ガラスが嵌め込まれて枠体の内側に形成される開口を閉塞可能な障子、障子により閉塞される開口と、当該開口と隣接するガラスと、の間に設けられた縦材、及び、屋内側の領域に設けられた障子または縦材に設けられたクレセント錠と、屋外側の領域に設けられた障子または縦材に設けられたクレセント受けと、を有するクレセント施錠機構、を備えた建具のクレセント施錠機構の防犯プレートであって、ガラスとクレセント受けとの間にて、クレセント錠を覆い、屋外側から押圧されたときに、その一部が屋内側の領域に突出するように屈曲し易い屈曲誘発部を有している。【選択図】図１
2014055416.tif 000002
【特許請求の範囲】
【請求項１】
屋内と屋外との境界に設けられる枠体、
前記枠体の屋内側の領域及び屋外側の領域のうちの一方の領域に設けられ、見付け方向にスライド自在であり、ガラスが嵌め込まれて前記枠体の内側に形成される開口を閉塞可能な障子、
前記枠体の前記屋内側の領域及び前記屋外側の領域のうちの他方の領域に設けられ、前記障子により閉塞される前記開口と、当該開口と隣接して嵌め込まれたガラスと、の間に設けられた縦材、及び、
前記屋内側の領域に設けられた前記障子または前記縦材に設けられたクレセント錠と、前記屋外側の領域に設けられた前記障子または前記縦材に設けられたクレセント受けと、を有するクレセント施錠機構、
を備えた建具に用いられるクレセント施錠機構の防犯プレートであって、
前記ガラスと前記クレセント受けとの間に設けられ、前記クレセント錠が前記屋外側に露出しないように覆い、前記屋外側から押圧されたときに、その一部が前記屋内側の領域に突出するように屈曲し易い屈曲誘発部を有していることを特徴とするクレセント施錠機構の防犯プレート。
【請求項２】
請求項１に記載のクレセント施錠機構の防犯プレートであって、
前記屈曲誘発部は、当該防犯プレートが屈曲されたときに前記障子のスライド方向に沿って折り目が形成されるように設けられていることを特徴とするクレセント施錠機構の防犯プレート。
【請求項３】
請求項１または請求項２に記載のクレセント施錠機構の防犯プレートであって、
前記クレセント錠は、前記障子または前記縦材に台座を介して設けられており、
前記防犯プレートは、前記屈曲誘発部にて屈曲されたときに、前記台座と接触することにより、前記クレセント錠が解錠状態となるべく回動されることを防止することを特徴とするクレセント施錠機構の防犯プレート。
【請求項４】
請求項１乃至請求項３のいずれかに記載のクレセント施錠機構の防犯プレートであって、
前記屈曲誘発部は、前記障子のスライド方向に沿うスリットが形成されることにより設けられていることを特徴とするクレセント施錠機構の防犯プレート。
【請求項５】
請求項１乃至請求項３のいずれかに記載のクレセント施錠機構の防犯プレートであって、
前記屈曲誘発部は、断面がＶ字状をなす溝が前記障子のスライド方向に沿って形成された部位であることを特徴とするクレセント施錠機構の防犯プレート。
【請求項６】
請求項１乃至請求項３のいずれかに記載のクレセント施錠機構の防犯プレートであって、
前記屈曲誘発部は、前記障子のスライド方向に沿って互いに間隔を隔てて複数の孔が形成されることにより設けられていることを特徴とするクレセント施錠機構の防犯プレート。
【請求項７】
請求項１乃至請求項３のいずれかのいずれかに記載のクレセント施錠機構の防犯プレートであって、
前記クレセント受けに固定されることを特徴とするクレセント施錠機構の防犯プレート。
【請求項８】
前記枠体、前記障子、前記縦材、前記クレセント施錠機構、及び、
請求項１乃至請求項７のいずれかに記載のクレセント施錠機構の防犯プレート、を備えていることを特徴とする建具。
【発明の詳細な説明】
【技術分野】
【０００１】
本発明は、開口を形成する枠体のレールに沿ってスライド自在な障子を施錠するクレセント施錠機構を備えた建具に用いられるクレセント施錠機構の防犯プレート及び建具に関する。
【背景技術】
【０００２】
開口を形成する枠体のレールに沿ってスライド自在な障子を施錠するクレセント施錠機構を備えた建具は、一般的に周知されている。この為、屋外側からでも施解錠状態がわかってしまう。また、機構も周知されている為、部外者がガラスにドライバー等を差し込める程度の穴を開けさえすれば、クレセント錠を解錠して侵入することが可能になってしまう。このため、屋内への侵入を防止するために、クレセント錠が屋外側から見えなくなるようにクレセント錠を覆うプレートを屋外引き戸のガラスの屋内側面に貼り付けたものがある（例えば、特許文献１参照）。
【先行技術文献】
【特許文献】
【０００３】
【特許文献１】特許第３７１４０３４号公報
【発明の概要】
【発明が解決しようとする課題】
【０００４】
上記のように屋外側からクレセント錠が見えなくなるようにプレートを屋外引き戸のガラスに貼り付けられている場合には、部外者が容易に施解錠状態を確認することができず、部外者が屋外側からガラスを割ってもプレートによりクレセント錠の操作が妨げられるので操作し難い。しかしながら、ガラスを割る際に、防犯プレートが脱落してしまうとクレセント錠の操作は妨げられず、また、仮にクレセント錠が解錠されてしまうと、障子は開けられてしまうという課題がある。
【０００５】
本発明は、かかる課題に鑑みてなされたものであり、その目的とするところは、屋外側からガラスを破壊しても侵入し難いクレセント施錠機構の防犯プレート及び建具を提供することにある。
【課題を解決するための手段】
【０００６】
かかる目的を達成するために本発明のクレセント施錠機構の防犯プレートは、屋内と屋外との境界に設けられる枠体、前記枠体の屋内側の領域及び屋外側の領域のうちの一方の領域に設けられ、見付け方向にスライド自在であり、ガラスが嵌め込まれて前記枠体の内側に形成される開口を閉塞可能な障子、前記枠体の前記屋内側の領域及び前記屋外側の領域のうちの他方の領域に設けられ、前記障子により閉塞される前記開口と、当該開口と隣接して嵌め込まれたガラスと、の間に設けられた縦材、及び、前記屋内側の領域に設けられた前記障子または前記縦材に設けられたクレセント錠と、前記屋外側の領域に設けられた前記障子または前記縦材に設けられたクレセント受けと、を有するクレセント施錠機構、を備えた建具に用いられるクレセント施錠機構の防犯プレートであって、前記ガラスと前記クレセント受けとの間に設けられ、前記クレセント錠が前記屋外側に露出しないように覆い、前記屋外側から押圧されたときに、その一部が前記屋内側の領域に突出するように屈曲し易い屈曲誘発部を有していることを特徴とするクレセント施錠機構の防犯プレートである。
【０００７】
このようなクレセント施錠機構の防犯プレートによれば、枠体の屋外側の領域に設けられた障子または縦材に設けられたクレセント受けとガラスとの間に、クレセント錠が屋外側に露出しないように覆う防犯プレートが設けられているので、屋外側からクレセント錠の状態を知られることを防止することが可能である。また、防犯プレートは、屋外側から押圧されたときに、その一部が屋内側の領域に突出するように屈曲し易い屈曲誘発部を有しているので、屋外側からクレセント錠を操作できるように、ガラスを割るべく屋外側から外力がガラスとともに防犯プレートに作用すると、防犯プレートが屈曲誘発部にて屈曲する。このため、防犯プレートの一部は屋内側の領域に突出するので、スライドする障子の進行方向にて障害となり障子のスライドが規制される。このため、たとえ、ガラスが割られクレセント錠が解錠できたとしても、障子をスライドすることできないクレセント施錠機構の防犯プレートを提供することが可能である。また、屈曲誘発部にて一旦屈曲した防犯プレートは塑性変形しているので、開閉可能な屋外側の領域まで曲げ起こすためには、曲がる前の姿勢以上に屋外側に曲げる必要がある。このとき、防犯プレートより室外側にガラスが残存していれば、開閉可能な屋外側の領域まで防犯プレートを曲げ起こすことは困難なので、解錠することは難しい。このため、屋外側からガラスを破壊しても侵入し難いクレセント施錠機構の防犯プレートを提供することが可能である。
【０００８】
かかるクレセント施錠機構の防犯プレートであって、前記屈曲誘発部は、当該防犯プレートが屈曲されたときに前記障子のスライド方向に沿って折り目が形成されるように設けられていることが望ましい。  
このようなクレセント施錠機構の防犯プレートによれば、当該防犯プレートが屈曲されたときに障子のスライド方向に沿って折り目が形成されるので、屈曲した部位は、防犯プレートの面が障子のスライド方向と直交する方向に屈曲され、防犯プレートの縁が縦材の側面に当接する。このため、障子を開こうとする外力は防犯プレートの縁を押圧し、防犯プレートの屈曲した板面の面内方向に沿って作用するので、解錠防止部材は変形し難い。このため、屈曲した部位により障子のスライドをより確実に規制することが可能である。
【０００９】
かかるクレセント施錠機構の防犯プレートであって、前記クレセント錠は、前記障子または前記縦材に台座を介して設けられており、前記防犯プレートは、前記屈曲誘発部にて屈曲されたときに前記台座と接触することにより、前記クレセント錠が解錠状態となるべく回動されることを防止することが望ましい。  
このようなクレセント施錠機構の防犯プレートによれば、防犯プレートは、屈曲誘発部にて屈曲されたときに台座と接触して、クレセント錠が解錠状態となるべく回動されることを防止するので、たとえ、部外者が防犯プレートとともにクレセント錠を回動しようとしても回動させることはできない。このため、より優れた防犯性を備えることが可能である。
【００１０】
かかるクレセント施錠機構の防犯プレートであって、前記屈曲誘発部は、前記障子のスライド方向に沿うスリットが形成されることにより設けられていることが望ましい。  
このようなクレセント施錠機構の防犯プレートによれば、防犯プレートに、スライド方向に沿うスリットを形成するだけで、屋外側から押圧されたときに、その一部が屋内側の領域に突出するように屈曲し易い屈曲誘発部を備えることが可能である。このとき、屈曲誘発部はスリットを形成することにより設けられるので、スリットの幅及び長さを調節することにより屈曲誘発部の強度を適宜設定することが可能である。
【００１１】
かかるクレセント施錠機構の防犯プレートであって、前記屈曲誘発部は、断面がＶ字状をなす溝が前記障子のスライド方向に沿って形成された部位であることとしてもよい。  
このようなクレセント施錠機構の防犯プレートによれば、防犯プレートに断面がＶ字状をなす溝を障子のスライド方向に沿って設けるだけで屋外側から押圧されたときに、その一部が屋内側の領域に突出するように屈曲し易い屈曲誘発部を備えることが可能である。このとき、屈曲誘発部が、断面がＶ字状をなす溝なので、断面がＶ字状をなす溝の深さ及び幅を調節することにより屈曲誘発部の強度を適宜設定することが可能である。
【００１２】
かかるクレセント施錠機構の防犯プレートであって、前記屈曲誘発部は、前記屈曲誘発部は、前記障子のスライド方向に沿って互いに間隔を隔てて複数の孔が形成されることにより設けられていることとしてもよい。  
このようなクレセント施錠機構の防犯プレートによれば、防犯プレートにスライド方向に沿って互いに間隔を隔てて複数の孔を形成するだけで屋外側から押圧されたときに、その一部が屋内側の領域に突出するように屈曲しやすい屈曲誘発部を備えることが可能である。このとき、屈曲誘発部は複数の孔が形成されて設けられるので、孔の直径及び数を調節することにより屈曲誘発部の強度を適宜設定することが可能である。
【００１３】
かかるクレセント施錠機構の防犯プレートであって、前記クレセント受けに固定されることが望ましい。  
このようなクレセント施錠機構の防犯プレートによれば、防犯プレートとクレセント受けとの距離が一定なので、クレセント錠及び障子に対し、より適切な位置に防犯プレートを設けることが可能である。  
このため、屈曲誘発部にて屈曲したときには、より確実に障子のスライドを規制することが可能である。
【００１４】
また、前記枠体、前記障子、前記縦材、前記クレセント施錠機構、及び、上記クレセント施錠機構の防犯プレートを備えていることを特徴とする建具である。  
このような建具によれば、枠体の屋外側の領域に設けられた障子または縦材に設けられたクレセント受けとガラスとの間に、クレセント錠が屋外側に露出しないように覆う防犯プレートが設けられているので、屋外側からクレセント錠の状態を知られることを防止することが可能である。また、防犯プレートは、屋外側から押圧されたときに、その一部が屋内側の領域に突出するように屈曲し易い屈曲誘発部を有しているので、屋外側からクレセント錠を操作できるように、ガラスを割るべく屋外側から外力がガラスとともに防犯プレートに作用すると、防犯プレートが屈曲誘発部にて屈曲する。このため、防犯プレートの一部は屋内側の領域に突出するので、スライドする障子の進行方向にて障害となり障子のスライドが規制される。このため、たとえ、ガラスが割られクレセント錠が解錠できたとしても、障子をスライドすることできない建具を提供することが可能である。また、屈曲誘発部にて一旦屈曲した防犯プレートを屋外側の領域まで曲げ起こすためには、曲がる前の姿勢以上に屋外側に曲げる必要があるので、屋外から侵入しようとしても、より手間がかかる建具を提供することが可能である。
【発明の効果】
【００１５】
本発明によれば、屋外側からガラスを割ってクレセント錠が解錠できたとしても侵入し難いクレセント施錠機構の防犯プレート及び建具を提供することが可能である。
【図面の簡単な説明】
【００１６】
【図１】本実施形態に係る建具の内観姿図である。
【図２】本実施形態に係る建具の横断面図である。
【図３】本実施形態に係る建具の縦断面図である。
【図４】図４（ａ）は、防犯プレートの正面図であり、図４（ｂ）は、防犯プレートの側面図である。
【図５】図５（ａ）は、クレセント受けに防犯プレートが取り付けられた状態を示す正面図であり、図５（ｂ）はクレセント受けに防犯プレートが取り付けられた状態を示す側面図であり、図５（ｃ）は、クレセント受けに防犯プレートが取り付けられた状態を示す平面図である。
【図６】防犯プレートが屈曲された状態を示す横断面図である。
【図７】防犯プレートが屈曲された状態を示す縦断面図である。
【図８】図８（ａ）は、防犯プレートの第１変形例を示す正面図であり、図８（ｂ）は、防犯プレートの第１変形例を示す側面図である。
【図９】防犯プレートの第２変形例を示す正面図である。
【発明を実施するための形態】
【００１７】
以下、本発明の一実施形態に係るクレセント施錠機構の防犯プレート及びこの防犯プレートを用いた建具について図面を参照して説明する。
【００１８】
本実施形態の建具は、図１〜図３に示すように、屋内と屋外とを連通する開口を形成する枠体２、枠体２の屋内側の領域Ｓ１に設けられ、枠体２が有するレール３ａ、４ａに沿って見付け方向にスライド自在であり、開口を閉塞可能な内障子７及び外障子８、及び、内障子７に台座１３を介して回動自在に設けられたクレセント錠１１と外障子８に設けられたクレセント受け１２とを有するクレセント施錠機構１０、を備えている。
【００１９】
以下の説明においては、建物等に取り付けられた状態の建具１を室内側から見たときに、枠体２、内障子７及び外障子８の上下となる方向を上下方向、左右となる方向を左右方向または見付け方向、室内外方向である奥行き方向を見込み方向として示す。また、建具１を構成する部材は、単体の状態であっても建具１が建物等に取り付けられた状態で上下方向、見付け方向、見込み方向等となる方向にて方向を特定して説明する。
【００２０】
枠体２は、上下に位置する上枠３及び下枠４と見付け方向において左右に位置する縦枠５とが矩形状に枠組みされて形成されている。内障子７はレール３ａ、４ａに沿って枠体２の屋内側の領域Ｓ１をスライド可能であり、外障子８はレール３ａ、４ａに沿って枠体２の屋外側の領域Ｓ２をスライド可能に設けられている。
【００２１】
内障子７は、ガラス９の上下に位置する上框７ａ及び下框７ｂと、右側に位置し内障子７を閉じたときに枠体２の縦枠５に当接される戸先框７ｃと、見付け方向における中央にて外障子８の召合せ框８ｄと見込み方向に対向する召合せ框７ｄと、が矩形状に框組みされて構成されている。外障子８は、ガラス９の上下に位置する上框８ａ及び下框８ｂと、左側に位置し外障子８を閉じたときに枠体２の縦枠５に当接される戸先框８ｃと、見付け方向における中央にて内障子７の召合せ框７ｄと見込み方向に対向する召合せ框８ｄと、が矩形状に框組みされて構成されている。ここで、枠体２の屋内側の領域Ｓ１は、内障子７が移動する際に内障子７の上框７ａ、下框７ｂ、戸先框７ｃ、及び、召合せ框７ｄにてほぼ同一の平面をなす室外側の面より屋内側の領域であり、枠体２の屋外側の領域Ｓ２は、外障子８が移動する際に、外障子８の上框８ａ、下框８ｂ、戸先框８ｃ、及び、召合せ框８ｄにてほぼ同一の平面をなす室内側の面より屋外側の領域である。
【００２２】
本実施形態においては、建具１が、枠体２の屋内側の領域Ｓ１にてスライド自在に設けられた内障子７と、枠体２の屋外側の領域Ｓ２にてスライド自在に設けられた外障子８とを有する引き違いタイプの建具１である。このため、枠体２の屋外側の領域Ｓ２に設けられ、内障子７により閉塞される開口と隣接するガラス９が嵌め込まれた部位は、外障子８であり、外障子８の召合せ框８ｄが、開口と隣接して嵌め込まれたガラスとの間に設けられた縦材に相当する。
【００２３】
クレセント錠１１は、使用者が操作するためのハンドル１１ａと、ハンドル１１ａの操作により見付け方向に沿う軸を中心に回動する三日月型のクレセント本体１１ｂとを有している。クレセント本体１１ｂは、ハンドル１１ａの操作により回動すると、先端１１ｃが屋外側に移動し、外障子８の召合せ框に設けられているクレセント受け１２の係合部１２ｃと係合して施錠するように構成されている。
【００２４】
クレセント受け１２は、外障子８の召合せ框８ｄに固定される固定部１２ａと、固定部１２ａから外障子８の戸先方向に延出された延出部１２ｂと、延出部１２ｂの戸先側の先端にて屋内側の領域Ｓ１に突出されクレセント錠１１と係合する係合部１２ｃとを有している。延出部１２ｂは、外障子８のガラス９と見込み方向に間隔を隔てて対面するように設けられており、クレセント錠１１の、後述する防犯プレート２０を固定するビス１５が貫通される固定孔１２ｄが設けられている。また、係合部１２ｃは、固定部１２ａの上下方向における幅の中央に位置するように設けられている。
【００２５】
防犯プレート２０は、図４に示すように、ほぼ長方形状をなす鋼板からプレス加工にて形成された部材である。防犯プレート２０は、図５に示すように、長方形状の長手方向が上下方向に沿うようにクレセント受け１２に取り付けられるため、長手方向における中央にクレセント受け１２の固定孔１２ｄを貫通したビス１５が螺合される螺合孔２０ａが設けられている。防犯プレート２０の上下方向の長さは、クレセント施錠機構１０の施錠状態にてハンドル１１ａがクレセント本体１１ｂの上方に位置して上下方向に沿う位置から解錠状態にてクレセント本体１１ｂの下方に位置して上下方向に沿う位置まで回動しても屋外側に露出しないように、クレセント錠１１を覆う長さをなしている。
【００２６】
防犯プレート２０の長辺をなす一方の端には、上下方向の中心から振り分けて、上下に一つずつ室内側に曲げ起こされた突起２１が設けられている。２つの突起２１は、クレセント受け１２の固定部１２ａの上下方向の幅より僅かに広い間隔を隔てて設けられている。この２つの突起２１の間にクレセント受け１２の固定部１２ａが配置されて、クレセント受け１２と防犯プレート２０とがビス止めされるように構成されている。
【００２７】
防犯プレート２０には、上側の突起２１の上縁の位置を上下方向の位置とする上スリット２２と、防犯プレート２０の下側の突起２１の下縁の位置を上下方向の位置とする下スリット２２とが、見付け方向の両端部を除き、見付け方向に沿うように設けられている。ここで、上スリット２２及び下スリット２２にて屈曲しやすいように形成された部位が屈曲誘発部２４をなしている。すなわち、屈曲誘発部２４は、見付け方向においてスリット２２の両側の部位であり、屈曲されたときにスライド方向に沿って折り目２４ａが形成される。
【００２８】
そして、防犯プレート２０の上下の突起２１にて位置決めし、クレセント受け１２に防犯プレート２０を取り付けると、クレセント受け１２の上下方向において中央に位置する係合部１２ｃを中心として上下に振り分けた位置に、上スリット２２及び下スリット２２が位置するように構成されている。
【００２９】
本実施形態のクレセント施錠機構１０の防犯プレート２０が設けられた建具１に対し、例えば、屋外側から屋内に侵入しようとする者が、クレセント施錠機構１０を解錠しようとしてクレセント施錠機構１０の屋外側のガラス９、すなわち防犯プレート２０の屋外側のガラス９を割ろうとしたとする。このとき、ガラス９を割るために、ハンマーやドライバー等にてガラス９に打撃を与えると、ガラス９が割れるとともに、ハンマーやドライバー等が防犯プレート２０に接触し、防犯プレート２０を屋内側に押圧する。防犯プレート２０にはスリット２２により屈曲誘発部２４が設けられているので、図６、図７に示すように、屈曲誘発部２４にて防犯プレート２０の端部側の部位が屋内側に屈曲される。このとき、屈曲された防犯プレート２０が台座１３に接触し、それ以上屈曲しないように構成され、屈曲された防犯プレート２０と共にクレセント錠１１回動して解錠されないように構成されている。
【００３０】
屈曲された防犯プレート２０の端部側の部位は、内障子７がスライドされる、枠体２の屋内側の領域Ｓ１に突出するので、内障子７及び外障子８の見付け方向におけるスライドが規制される。
【００３１】
本実施形態のクレセント施錠機構１０の防犯プレート２０及び建具１によれば、枠体２の屋外側の領域Ｓ２に設けられた外障子８の召合せ框８ｄに設けられたクレセント受け１２とガラス９との間に、クレセント錠１１が屋外側に露出しないように覆う防犯プレート２０が設けられているので、屋外側からクレセント錠１１の状態を知られることを防止することが可能である。また、防犯プレート２０は、屋外側から押圧されたときに、その一部が屋内側の領域Ｓ１に突出して内障子７及び外障子８のスライドを規制するように、屈曲し易い屈曲誘発部２４を有しているので、屋外側からクレセント錠１１を操作できるように、ガラス９を割るべく屋外側から外力がガラス９とともに防犯プレート２０に作用すると、防犯プレート２０が屈曲誘発部２４にて屈曲する。このため、防犯プレート２０の一部、すなわち、上側の屈曲誘発部２４より上側の部位は屋内側の領域Ｓ１に突出するので、スライドする内障子７の進行方向において障害となり内障子７及び外障子８のスライドが規制される。このため、たとえ、ガラス９が割られクレセント錠１１が解除できたとしても、内障子７及び外障子８をスライドすることできないクレセント施錠機構１０の防犯プレート２０及び建具１を提供することが可能である。また、一旦屈曲誘発部２４にて屈曲した防犯プレート２０は塑性変形しているので、開閉可能な屋外側の領域Ｓ２まで曲げ起こすためには、曲がる前の姿勢以上に屋外側に曲げ戻す必要がある。このとき、防犯プレート２０より室外側にガラス９が残存していれば、開閉可能な屋外側の領域Ｓ２まで防犯プレート２０を曲げ起こすことは困難であり、屋外から侵入しようとしてもより手間がかかるクレセント施錠機構１０の防犯プレート２０及び建具１を提供することが可能である。
【００３２】
また、屈曲誘発部２４は、内障子７及び外障子８のスライド方向に沿って形成されているので、屈曲した部位は、防犯プレート２０の面が内障子７及び外障子８のスライド方向と直交する方向に屈曲して、その縁が内障子７の召合せ框７ｄの側面に当接する。このため、内障子７を開こうとする外力は防犯プレート２０の縁を押圧し、防犯プレート２０の屈曲した板面の面内方向に沿って作用するので、防犯プレート２０は変形し難い。このため、屈曲した部位により内障子７及び外障子８のスライドをより確実に規制することが可能である。
【００３３】
また、防犯プレート２０は、屈曲誘発部２４にて屈曲されたときに台座１３と接触して、クレセント錠１１が解錠状態となるべく回動されることを防止するので、たとえ、部外者が防犯プレート２０とともにクレセント錠１１を回動しようとしても回動させることはできない。このため、より優れた防犯性を備えることが可能である。
【００３４】
また、屈曲誘発部２４は、スリット２２を形成することにより設けられているので、防犯プレート２０にスリット２２を形成するだけで、屋外側から押圧されたときに、上側の屈曲誘発部２４より上側の部位を屋内側の領域Ｓ１に突出させることが可能である。このため、スリット２２の幅及び長さを調節することにより屈曲誘発部２４の強度を適宜設定することが可能である。
【００３５】
本実施形態においては、防犯プレート２０が上下２つの屈曲誘発部２４を有しているので、上下が反転するように回転させて使用することが可能である。このため、たとえば、４枚建の建具などのように、クレセント施錠機構１０が、左右の向きが異なるように設けられる場合であっても、単一の防犯プレート２０を用いることが可能である。
【００３６】
また、防犯プレート２０は、クレセント受け１２に固定されて、防犯プレート２０とレセント受け１２との距離が一定に保たれるので、クレセント錠１１に対し、より適切な位置に防犯プレート２０を設けることが可能である。このため、屈曲防止板２０が固定されたクレセント受け１２を外障子８に取り付けるだけで、内障子７及び内障子７に設けられたクレセント錠１１に対する適切な位置にて屈曲させて、内障子７及び外障子８のスライドをより確実に規制することが可能である。また、クレセント受け１２に固定された防犯プレート２０は、重なった部位の剛性が高くなるので、防犯プレート２０のクレセント受け１２と重なった部位と重なっていない部位との境界部分、すなわち、クレセント受け１２の縁を支点となり、防犯プレート２０を容易に屈曲させることが可能である。
【００３７】
上記実施形態においては、屈曲誘発部２４を、スリット２２を形成することにより設ける例について説明したが、これに限らず、たとえば、図８に示すように、内障子７及び外障子８のスライド方向に沿って、断面がＶ字状をなす溝２７を設けてもよい。この場合には、防犯プレート２０に断面がＶ字状をなす溝２７を設けるだけで屋外側から押圧されたときに、上側の屈曲誘発部２４より上側の部位が屋内側の領域Ｓ１に突出するように屈曲しやすい屈曲誘発部２４を備えることが可能である。このとき、屈曲誘発部２４が、断面がＶ字状をなす溝２７なので、断面がＶ字状をなす溝２７の深さ及び幅を調節することにより屈曲誘発部２４の強度を適宜設定することが可能である。
【００３８】
また、屈曲誘発部２４を、内障子７及び外障子８のスライド方向に沿って互いに間隔を隔てて複数の孔２８を形成することにより設けてもよい。この場合には、防犯プレート２０にスライド方向に沿って互いに間隔を隔てて複数の孔２８を形成するだけで屋外側から押圧されたときに、上側の屈曲誘発部２４より上側の部位が屋内側の領域Ｓ１に突出するように屈曲しやすい屈曲誘発部２４を備えることが可能である。このとき、屈曲誘発部２４は複数の孔２８が形成されて設けられるので、孔２８の直径及び数を調節することにより屈曲誘発部２４の強度を適宜設定することが可能である。
【００３９】
上記実施形態においては、引き違い障子７、８を備える建具１を例に挙げて説明したが、これに限らず、屋外側の領域Ｓ２にガラスを備えたＦＩＸ窓を有し、ＦＩＸ窓を構成する縦骨を、開口と隣接して嵌め込まれたガラスとの間に設けられた縦材とする建具であっても構わない。このとき、ＦＩＸ窓は、スライド可能な障子を固定した形態であっても構わない。また、屋内側の領域Ｓ１にＦＩＸ障子が設けられ、屋外側の領域Ｓ２にスライド可能な障子が設けられた建具であっても構わない。また、障子のスライド方向は、見付け方向に限らず、上下方向であっても構わない。
【００４０】
上記実施形態においては、防犯プレート２０をクレセント受け１２に固定して外障子８の召合せ框８ｄに設ける例について説明したが、防犯プレート２０は、屋外側の領域に設けられた障子の召合せ框や縦骨に直接設けても構わない。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４２】
１  建具、２  枠体、７  内障子、８  外障子、８ｄ  召合せ框、
９  ガラス、１０  クレセント施錠機構、１１  クレセント錠、１２  クレセント受け、
２０  防犯プレート、２２  スリット、２４  屈曲誘発部、２４ａ  折り目、
２７  断面がＶ字状の溝、２８  孔、Ｓ１  屋内側の領域、Ｓ２  屋外側の領域
【図１】
2014055416.tif 000003
【図２】
2014055416.tif 000004
【図３】
2014055416.tif 000005
【図４】
2014055416.tif 000006
【図５】
2014055416.tif 000007
【図６】
2014055416.tif 000008
【図７】
2014055416.tif 000009
【図８】
2014055416.tif 000010
【図９】
2014055416.tif 000011